(57)【要約】【課題】感度のばらつきを抑制しつつ、広い範囲において硬貨を検知することが可能な硬貨検知用アンテナを提供する。【解決手段】この硬貨検知用アンテナ５は、基板５１と、基板５１に形成された配線パターンからなるトラック形状の複数の空芯コイル５４と、を備える。そして、複数の空芯コイル５４は、検知対象の硬貨１１０のうちの最小硬貨１１０ａが検知範囲６内のいずれの位置に位置する場合にも、最小硬貨１１０ａが空芯コイル５４の空芯部５４ｃの中心線５４ｄを越えるように、空芯部５４ｃの短手方向に沿って配置されている。【選択図】図３
2019096204.tif 000002
【特許請求の範囲】
【請求項１】
基板と、
前記基板に形成された配線パターンからなるトラック形状の複数の空芯コイルと、を備え、
前記複数の空芯コイルは、検知対象の硬貨のうちの最小硬貨が検知範囲内のいずれの位置に位置する場合にも、前記最小硬貨が前記空芯コイルの空芯部の中心線を越えるように、前記空芯部の短手方向に沿って配置されている、硬貨検知用アンテナ。
【請求項２】
前記複数の空芯コイルは、以下の式（１）を満たす数分だけ設けられている、請求項１に記載の硬貨検知用アンテナ。
ａ／ｂ−１≦ｘ＜ａ／ｂ  ・・・（１）
ここで、
ａ：空芯部の短手方向に沿った検知範囲の長さ
ｂ：最小硬貨の直径
ｘ：空芯コイルの数
である。
【請求項３】
両端に配置された前記空芯コイルは、前記短手方向に沿った前記空芯部の中心線と前記検知範囲の外縁との間の距離が前記最小硬貨の直径未満になるように配置されており、
隣り合う前記空芯コイルは、前記短手方向に沿った前記空芯部の中心線間の距離が前記最小硬貨の直径未満になるように配置されている、請求項１または２に記載の硬貨検知用アンテナ。
【請求項４】
両端に配置された前記空芯コイルは、前記短手方向に沿った前記空芯部の中心線と前記検知範囲の外縁との間の距離が以下の式（２）を満たすように配置されている、請求項３に記載の硬貨検知用アンテナ。
ａ／（ｘ＋１）＞ｃ  ・・・（２）
ここで、
ａ：空芯部の短手方向に沿った検知範囲の長さ
ｃ：空芯部の短手方向に沿った空芯部の中心線と検知範囲の外縁との間の距離
ｘ：空芯コイルの数
である。
【請求項５】
両端に配置された前記空芯コイルは、前記短手方向に沿った前記空芯部の中心線と前記検知範囲の外縁との間の距離が以下の式（３）を満たすように配置されている、請求項３に記載の硬貨検知用アンテナ。
ａ／（ｘ＋１）＜ｃ  ・・・（３）
ここで、
ａ：空芯部の短手方向に沿った検知範囲の長さ
ｃ：空芯部の中心線と検知範囲の外縁との間の短手方向の距離
ｘ：空芯コイルの数
である。
【請求項６】
隣り合う前記空芯コイルの間の隙間の大きさが、前記空芯部の前記短手方向の幅よりも大きい場合、前記複数の空芯コイルは、隣り合う部分の電流の流れる方向が互いに逆の前記空芯コイルが隣り合うように、前記空芯部の短手方向に沿って配置されている、請求項１〜５のいずれか１項に記載の硬貨検知用アンテナ。
【請求項７】
隣り合う前記空芯コイルの間の隙間の大きさが、前記空芯部の前記短手方向の幅の１／２よりも小さい場合、前記複数の空芯コイルは、隣り合う部分の電流の流れる方向が互いに同じ前記空芯コイルが隣り合うように、前記空芯部の短手方向に沿って配置されている、請求項１〜５のいずれか１項に記載の硬貨検知用アンテナ。
【請求項８】
前記複数の空芯コイルは、直列に接続されている、請求項１〜７のいずれか１項に記載の硬貨検知用アンテナ。
【請求項９】
硬貨滞留部と、
前記硬貨滞留部に対応する位置に設けられた硬貨検知用アンテナと、を備え、
前記硬貨検知用アンテナは、
基板と、
前記基板に形成された配線パターンからなるトラック形状の複数の空芯コイルと、を含み、
前記複数の空芯コイルは、検知対象の硬貨のうちの最小硬貨が検知範囲内のいずれの位置に位置する場合にも、前記最小硬貨が前記空芯コイルの空芯部の中心線を越えるように、前記空芯部の短手方向に沿って配置されている、硬貨処理装置。
【発明の詳細な説明】
【技術分野】
【０００１】
この発明は、硬貨検知用アンテナおよび硬貨処理装置に関し、特に、空芯コイルを備える硬貨検知用アンテナおよび硬貨処理装置に関する。
【背景技術】
【０００２】
従来、空芯コイルを備える硬貨処理装置が知られている（たとえば、特許文献１参照）。
【０００３】
上記特許文献１には、硬貨の入金や出金を行う硬貨釣銭機（硬貨処理装置）が開示されている。この硬貨釣銭機には、硬貨を投入する硬貨投入口と、硬貨が排出される受皿とが設けられている。受皿の下部には、受皿に硬貨が残留しているか否かを検出するためのセンサ素子が配置されている。センサ素子は、基板と、この基板の表面上に形成されたスパイラルコイル（空芯コイル）とを含む。スパイラルコイルは、渦巻き状の配線パターンにより形成されたコイルであり、渦巻きの最も内側にコイルが巻かれていない空間としてのＵ字形状の空芯を有する。
【先行技術文献】
【特許文献】
【０００４】
【特許文献１】特開２０１７−５８８６１号公報
【発明の概要】
【発明が解決しようとする課題】
【０００５】
しかしながら、上記特許文献１に記載された硬貨釣銭機のセンサ素子では、空芯がＵ字形状に形成されているため、広い範囲において硬貨を検知することができる一方、空芯コイルに対する硬貨の位置によって感度がばらつくという問題点がある。
【０００６】
この発明は、上記のような課題を解決するためになされたものであり、この発明の１つの目的は、感度のばらつきを抑制しつつ、広い範囲において硬貨を検知することが可能な硬貨検知用アンテナおよび硬貨処理装置を提供することである。
【課題を解決するための手段】
【０００７】
上記目的を達成するために、この発明の第１の局面による硬貨検知用アンテナは、基板と、基板に形成された配線パターンからなるトラック形状の複数の空芯コイルと、を備え、複数の空芯コイルは、検知対象の硬貨のうちの最小硬貨が検知範囲内のいずれの位置に位置する場合にも、最小硬貨が空芯コイルの空芯部の中心線を越えるように、空芯部の短手方向に沿って配置されている。
【０００８】
この発明の第１の局面による硬貨検知用アンテナでは、上記のように、トラック形状の複数の空芯コイルを備えることにより、単一のトラック形状の空芯コイルのみを備える場合に比べて、広い範囲において硬貨を検知することができる。また、複数の空芯コイルを、検知対象の硬貨のうちの最小硬貨が検知範囲内のいずれの位置に位置する場合にも、最小硬貨が空芯コイルの空芯部の中心線を越えるように、空芯部の短手方向に沿って配置することにより、検知範囲内において検知対象の硬貨を感度が高い空芯部の縁部に必ず位置させることができる。その結果、トラック形状の複数の空芯コイルを用いる場合にも、空芯コイルに対する硬貨の位置によって感度がばらつくことを抑制することができる。これらの結果、トラック形状の複数の空芯コイルを用いる場合に、感度がばらつくことを抑制しつつ、広い範囲において硬貨を検知することができる。また、広い範囲において硬貨を検知するために、複数の空芯コイルが設けられた単一の基板を設けるだけでよく、空芯コイルが設けられた基板を複数設ける必要がないので、硬貨検知用アンテナの構成が複雑化することを抑制することができる。また、複数の空芯コイルを、空芯部の短手方向に沿って配置することにより、極力デッドスペースが生じないように複数の空芯コイルを配置することができるので、基板のサイズを小さくすることができる。その結果、複数の空芯コイルを設ける場合にも、硬貨検知用アンテナのサイズを小さくすることができる。
【０００９】
上記第１の局面による硬貨検知用アンテナにおいて、好ましくは、複数の空芯コイルは、以下の式（１）を満たす数分だけ設けられている。
ａ／ｂ−１≦ｘ＜ａ／ｂ  ・・・（１）
ここで、
ａ：空芯部の短手方向に沿った検知範囲の長さ
ｂ：最小硬貨の直径
ｘ：空芯コイルの数
である。
【００１０】
このように構成すれば、最小の数の空芯コイルにより、最小硬貨が検知範囲内のいずれの位置に位置する場合にも、最小硬貨が空芯コイルの空芯部の中心線を越えるという条件を満たすことができる。その結果、最小の数の空芯コイルにより、広い範囲において硬貨を検知することができる。また、複数の空芯コイルを設ける場合にも、硬貨検知用アンテナのサイズをより小さくすることができる。
【００１１】
上記第１の局面による硬貨検知用アンテナにおいて、好ましくは、両端に配置された空芯コイルは、短手方向に沿った空芯部の中心線と検知範囲の外縁との間の距離が最小硬貨の直径未満になるように配置されており、隣り合う空芯コイルは、短手方向に沿った空芯部の中心線間の距離が最小硬貨の直径未満になるように配置されている。このように構成すれば、最小硬貨が検知範囲内のいずれの位置に位置する場合にも、最小硬貨が空芯コイルの空芯部の中心線を越えるという条件を満たす位置に、複数の空芯コイルを確実に配置することができる。
【００１２】
この場合、好ましくは、両端に配置された空芯コイルは、短手方向に沿った空芯部の中心線と検知範囲の外縁との間の距離が以下の式（２）を満たすように配置されている。
ａ／（ｘ＋１）＞ｃ  ・・・（２）
ここで、
ａ：空芯部の短手方向に沿った検知範囲の長さ
ｃ：空芯部の短手方向に沿った空芯部の中心線と検知範囲の外縁との間の距離
ｘ：空芯コイルの数
である。
【００１３】
このように構成すれば、空芯部の短手方向に沿った空芯部の中心線と検知範囲の外縁との間の距離ｃを極力小さくすることができる。その結果、硬貨が検知範囲の外縁側に配置された場合、硬貨のうち、この硬貨と同じ側の端に配置された空芯コイルの空芯部の中心線を越える部分の割合を大きくすることができる。これにより、硬貨が検知範囲の外縁側に配置された場合にも、感度を極力大きくすることができる。
【００１４】
上記両端に配置された空芯コイルが短手方向に沿った空芯部の中心線と検知範囲の外縁との間の距離が最小硬貨の直径未満になるように配置されている構成において、好ましくは、両端に配置された空芯コイルは、短手方向に沿った空芯部の中心線と検知範囲の外縁との間の距離が以下の式（３）を満たすように配置されている。
ａ／（ｘ＋１）＜ｃ  ・・・（３）
ここで、
ａ：空芯部の短手方向に沿った検知範囲の長さ
ｃ：空芯部の中心線と検知範囲の外縁との間の短手方向の距離
ｘ：空芯コイルの数
である。
【００１５】
このように構成すれば、空芯部の短手方向に沿った空芯部の中心線と検知範囲の外縁との間の距離ｃを極力大きくすることができる。その結果、検知範囲の外縁と基板の外縁との間の距離を極力大きくすることができるので、その分、検知範囲に対して基板のサイズを小さくすることができる。
【００１６】
上記第１の局面による硬貨検知用アンテナにおいて、好ましくは、隣り合う空芯コイルの間の隙間の大きさが、空芯部の短手方向の幅よりも大きい場合、複数の空芯コイルは、隣り合う部分の電流の流れる方向が互いに逆の空芯コイルが隣り合うように、空芯部の短手方向に沿って配置されている。ここで、隣り合う空芯コイルの間の隙間の大きさが、空芯部の短手方向の幅よりも大きい場合（つまり、空芯コイル同士が遠くに配置されている場合）、隣り合う部分の電流の流れる方向が互いに同じ空芯コイルが隣り合うと、隣り合う空芯コイルの間の隙間では、互いに打ち消す方向に磁界が生じる。互いに打ち消す方向に磁界が生じた場合、感度が低下するという不都合がある。そこで、上記のように、隣り合う空芯コイルの間の隙間の大きさが、空芯部の短手方向の幅よりも大きい場合、複数の空芯コイルを、隣り合う部分の電流の流れる方向が互いに逆の空芯コイルが隣り合うように、空芯部の短手方向に沿って配置すれば、隣り合う空芯コイルの間の隙間では、互いに打ち消し合わない方向（互いに強め合う方向）に磁界を生じさせることができる。その結果、隣り合う空芯コイルの間の隙間においても、硬貨を検知するのに十分な感度を確保することができる。
【００１７】
上記第１の局面による硬貨検知用アンテナにおいて、好ましくは、隣り合う空芯コイルの間の隙間の大きさが、空芯部の短手方向の幅の１／２よりも小さい場合、複数の空芯コイルは、隣り合う部分の電流の流れる方向が互いに同じ空芯コイルが隣り合うように、空芯部の短手方向に沿って配置されている。ここで、空芯コイルの間の隙間の大きさが、空芯部の短手方向の幅の１／２よりも小さい場合（つまり、空芯コイル同士が近くに配置されている場合）、隣り合う部分の電流の流れる方向が互いに逆の空芯コイルが隣り合うと、隣り合う空芯コイルの間の隙間では、互いに打ち消す方向に磁界が生じる。互いに打ち消す方向に磁界が生じた場合、感度が低下するという不都合がある。そこで、上記のように、隣り合う空芯コイルの間の隙間の大きさが、空芯部の短手方向の幅よりも小さい場合、複数の空芯コイルを、隣り合う部分の電流の流れる方向が互いに同じ空芯コイルが隣り合うように、空芯部の短手方向に沿って配置すれば、隣り合う空芯コイルの空芯部を繋ぐように磁界を生じさせることができる。その結果、隣り合う空芯コイルの間の隙間においても、硬貨を検知するのに十分な感度を確保することができる。
【００１８】
上記第１の局面による硬貨検知用アンテナにおいて、好ましくは、複数の空芯コイルは、直列に接続されている。このように構成すれば、複数の空芯コイルが並列に接続されている場合に比べて、簡素な構成により、空芯コイル同士を接続することができる。
【００１９】
この発明の第２の局面による硬貨処理装置は、硬貨滞留部と、硬貨滞留部に対応する位置に設けられた硬貨検知用アンテナと、を備え、硬貨検知用アンテナは、基板と、基板に形成された配線パターンからなるトラック形状の複数の空芯コイルと、を含み、複数の空芯コイルは、検知対象の硬貨のうちの最小硬貨が検知範囲内のいずれの位置に位置する場合にも、最小硬貨が空芯コイルの空芯部の中心線を越えるように、空芯部の短手方向に沿って配置されている。
【００２０】
この発明の第２の局面による硬貨処理装置では、上記のように、複数の空芯コイルを、検知対象の硬貨のうちの最小硬貨が検知範囲内のいずれの位置に位置する場合にも、最小硬貨が空芯コイルの空芯部の中心線を越えるように、空芯部の短手方向に沿って配置する。これにより、上記第１の局面による硬貨検知用アンテナと同様に、トラック形状の複数の空芯コイルを用いる場合にも、感度がばらつくことを抑制しつつ、広い範囲において硬貨を検知することができる。また、広い範囲において硬貨を検知するために、複数の空芯コイルが設けられた単一の基板を設けるだけでよく、空芯コイルが設けられた基板を複数設ける必要がないので、硬貨検知用アンテナの構成が複雑化することを抑制することができる。また、複数の空芯コイルを、空芯部の短手方向に沿って配置することにより、極力デッドスペースが生じないように複数の空芯コイルを配置することができるので、基板のサイズを小さくすることができる。その結果、複数の空芯コイルを設ける場合にも、硬貨検知用アンテナのサイズを小さくすることが可能な硬貨処理装置を提供することができる。
【発明の効果】
【００２１】
本発明によれば、上記のように、感度のばらつきを抑制しつつ、広い範囲において硬貨を検知することができる。
【図面の簡単な説明】
【００２２】
【図１】一実施形態による硬貨処理装置を示す斜視図である。
【図２】一実施形態による硬貨検知用アンテナを示す図である。
【図３】一実施形態による硬貨検知用アンテナの空芯コイルおよび最小硬貨を示す図である。
【図４】一実施形態による硬貨検知用アンテナの空芯コイルの配置を示す図である。
【図５】一実施形態による硬貨検知用アンテナの空芯コイルの巻き方向の第１の例を示す図である。
【図６】一実施形態による硬貨検知用アンテナの空芯コイルの巻き方向の第２の例を示す図である。
【図７】一実施形態の変形例による硬貨検知用アンテナを示す図である。
【発明を実施するための形態】
【００２３】
以下、本発明を具体化した実施形態を図面に基づいて説明する。
【００２４】
図１〜図６を参照して、一実施形態による硬貨処理装置（釣銭機）１００の構成について説明する。
【００２５】
（硬貨処理装置の構成）
図１に示すように、硬貨処理装置１００は、硬貨１１０の入金および出金を行うための装置である。硬貨処理装置１００は、たとえば、ＰＯＳ（ｐｏｉｎｔ  ｏｆ  ｓａｌｅｓ）レジスタ、紙幣処理装置、棒金収納庫などを備えるＰＯＳシステムの一部を構成する。硬貨処理装置１００は、たとえば、スーパーマーケット、コンビニエンスストアなどの店舗に設置されている。
【００２６】
硬貨処理装置１００は、投入口１と、２つの排出口２ａおよび２ｂと、硬貨搬送部３と、収納庫４とを備える。投入口１は、硬貨１１０を硬貨処理装置１００の筐体１００ａの外部から内部に投入するための入口部である。投入口１は、硬貨処理装置１００の筐体１００ａの内部に通じている。排出口２ａおよび２ｂは、硬貨１１０を硬貨処理装置１００の筐体１００ａの内部から外部に排出するための出口部分である。排出口２ａは、釣銭用の硬貨１１０が排出される排出口である。排出口２ｂは、返却用の硬貨１１０が排出される排出口である。排出口２ａおよび２ｂは、硬貨処理装置１００の筐体１００ａの内部に通じている。また、排出口２ａは、硬貨滞留部としてのトレイ部２１を含む。トレイ部２１は、排出された硬貨１１０を受け止めて溜めこむ。トレイ部２１は、特許請求の範囲の「硬貨滞留部」の一例である。なお、硬貨滞留部は、硬貨処理装置１００において硬貨１１０が滞留し、かつ、硬貨１１０の検知を要する部分であれば、トレイ部２１以外の硬貨滞留部であってもよい。たとえば、硬貨滞留部は、硬貨搬送部３による搬送路の所定の部分であってもよい。また、硬貨滞留部は、返却用の硬貨１１０の排出口２ｂの硬貨受け部２２であってもよい。図１では、排出口２ａのトレイ部２１に対応する位置に後述する硬貨検知用アンテナ５が設けられている例を示している。
【００２７】
硬貨搬送部３は、硬貨１１０を硬貨処理装置１００の筐体１００ａの内部において搬送する。硬貨搬送部３は、たとえば、硬貨１１０を搬送するベルト機構を有する。硬貨搬送部３は、投入口１から投入された硬貨１１０を収納庫４に向かって搬送する。収納庫４に向かって搬送された硬貨１１０は、硬貨１１０を金種毎に振り分ける振分部（図示せず）により振り分けられた状態で、金種に対応する収納庫４に収納される。また、硬貨搬送部３は、収納庫４に収納された硬貨１１０を排出口２ａまたは２ｂに向かって搬送する。硬貨搬送部３は、たとえば、入金された金額から商品価格を差し引いた金額分の硬貨１１０（釣銭用の硬貨１１０）を排出口２ａに向かって搬送する。
【００２８】
収納庫４は、硬貨１１０を収納する。収納庫４は、金種毎に設けられている。収納庫４は、たとえば、１円硬貨を収納する収納庫、５０円硬貨を収納する収納庫と、５円硬貨を収納する収納庫と、１００円硬貨を収納する収納庫と、１０円硬貨を収納する収納庫と、５００円硬貨を収納する収納庫とを含む。なお、硬貨処理装置１００が処理する硬貨１１０の金種は、日本の金種に限られず、いずれの国の金種であってもよい。
【００２９】
また、硬貨処理装置１００は、硬貨滞留部に硬貨１１０（図３参照）が残留しているか否か（硬貨１１０の有無）を検知するための硬貨検知用アンテナ５を備える。硬貨検知用アンテナ５は、硬貨処理装置１００において硬貨１１０が滞留する硬貨滞留部（トレイ部２１など）に対応する位置（たとえば、硬貨滞留部に重なる位置）に設けられている。
【００３０】
図２に示すように、硬貨検知用アンテナ５は、基板５１と、コネクタ５２と、コンデンサ５３と、複数（２つ）の空芯コイル５４とを含む。基板５１は、配線パターンが形成された樹脂製のリジッド回路基板である。コネクタ５２、コンデンサ５３および複数の空芯コイル５４は、単一の基板５１に形成されている。コネクタ５２は、交流電源（図示せず）に接続されている。コネクタ５２は、交流電源からの交流電力をコンデンサ５３および空芯コイル５４に供給する。コンデンサ５３は、共振用のコンデンサである。コンデンサ５３および空芯コイル５４は、共振回路を構成する。複数の空芯コイル５４は、直列に接続されている。
【００３１】
空芯コイル５４は、基板５１に形成された渦巻き状の配線パターンからなる。空芯コイル５４は、通電されることにより、磁界を発生させる。磁界は、空芯コイル５４を構成する配線パターン周りに円状に発生する。磁界は、空芯コイル５４の後述する空芯部５４ｃの近傍では、空芯コイル５４に概ね垂直な方向を向いている。また、磁界は、空芯コイル５４の後述する直線部５４ａおよび円弧部５４ｂの近傍では、空芯コイル５４に概ね平行な方向を向いている。
【００３２】
発生された磁界が硬貨１１０により遮られたことに基づいて、硬貨滞留部に硬貨１１０が残留しているか否かが検知される。具体的には、磁界が硬貨１１０により遮られたことによる共振周波数の基準周波数からの変化に基づいて、硬貨滞留部に硬貨１１０が残留しているか否かが検知される。
【００３３】
空芯コイル５４は、Ｘ方向に短手方向を有し、Ｙ方向に長手方向を有するトラック形状（角丸長方形状）のコイルである。空芯コイル５４は、Ｘ方向に幅Ｗを有し、Ｙ方向に長さＬを有する。幅Ｗは、空芯部５４ｃの短手方向（Ｘ方向）に沿った後述する検知範囲６の長さａ（図３参照）よりも小さい。また、長さＬは、空芯部５４ｃの長手方向（Ｙ方向）に沿った検知範囲６の長さｅと略同じである。
【００３４】
空芯コイル５４は、直線部５４ａと、円弧部５４ｂと、空芯部５４ｃとを有する。直線部５４ａは、空芯コイル５４のうちの直線状に形成された部分である。直線部５４ａは、空芯部５４ｃを挟んで互いにＸ方向（空芯部５４ｃの短手方向）に対向する位置に一対設けられている。円弧部５４ｂは、空芯コイル５４のうちの円弧状に形成された部分である。円弧部５４ｂは、空芯部５４ｃを挟んで互いにＹ方向（空芯部５４ｃの長手方向）に対向する位置に一対設けられている。一対の円弧部５４ｂは、それぞれ、Ｙ方向の一方側および他方側において、Ｘ方向に離れて配置された一対の直線部５４ａを接続している。空芯部５４ｃは、空芯コイル５４のうちの、直線部５４ａおよび円弧部５４ｂの内縁部により形成された部分である。空芯部５４ｃは、長穴状（細長楕円状、角丸長方形状）に形成されている。空芯部５４ｃは、Ｘ方向の両側の辺が直線状に形成され、Ｙ方向の両端が円弧状に形成されている。空芯部５４ｃは、空芯コイル５４の最も内側に形成されている。空芯部５４ｃは、空芯コイル５４の略中央位置に形成されている。
【００３５】
ここで、本実施形態では、図３に示すように、複数（２つ）の空芯コイル５４は、検知対象の硬貨１１０のうちの最小硬貨１１０ａ（硬貨検知用アンテナ５に対して平置き状態の最小硬貨１１０ａ）が検知範囲６内のいずれの位置に位置する場合にも、空芯コイル５４の空芯部５４ｃの中心線５４ｄを越えるように、空芯部５４ｃの短手方向（Ｘ方向）に沿って配置されている。検知範囲６は、硬貨１１０を検知するための予め決められた範囲である。検知範囲６は、たとえば、硬貨滞留部において最小硬貨１１０ａが動くことが可能な範囲である。また、空芯部５４ｃの中心線５４ｄは、空芯部５４ｃの短手方向の中心線である。空芯部５４ｃの中心線５４ｄは、空芯部５４ｃの長手方向（Ｙ方向）に沿って延びている。なお、図３では、空芯部５４ｃの中心線５４ｄおよび検知範囲６の後述する中心線６ａを一点鎖線により示し、最小硬貨１１０ａおよび検知範囲６を二点鎖線により示している。
【００３６】
また、本実施形態では、複数の空芯コイル５４は、以下の式（４）を満たす数分だけ設けられている。
ａ／ｂ−１≦ｘ＜ａ／ｂ  ・・・（４）
ここで、
ａ：空芯部の短手方向に沿った検知範囲の長さ
ｂ：最小硬貨の直径
ｘ：空芯コイルの数（ｘは、正の整数）
である。
【００３７】
たとえば、最小硬貨１１０ａの直径ｂに対する空芯部５４ｃの短手方向に沿った検知範囲６の長さａが２．５（＝ａ／ｂ）である場合、１．５≦ｘ＜２．５を満たす空芯コイル５４の数ｘは、２つとなる。この場合、２つの空芯コイル５４が基板５１に設けられる。
【００３８】
また、複数の空芯コイル５４は、検知範囲６の中心線６ａに対してＸ方向に略均等な位置に配置されている。つまり、複数の空芯コイル５４は、検知範囲６の中心線６ａに対して線対称な位置に配置されている。これにより、検知範囲６内において感度がばらつくことをより抑制可能である。検知範囲６の中心線６ａに対してＸ方向の一方側の空芯コイル５４、および、検知範囲６の中心線６ａに対してＸ方向の他方側の空芯コイル５４は、検知範囲６の中心線６ａからＸ方向に略等距離の位置に配置されている。また、両端に配置された空芯コイル５４は、検知範囲６の外縁６ｂからＸ方向に略等距離（中心位置で距離ｃ）の位置に配置されている。なお、検知範囲６の中心線６ａは、検知範囲６のＸ方向の中心線である。検知範囲６の中心線６ａは、Ｙ方向に沿って延びている。
【００３９】
また、本実施形態では、両端に配置された空芯コイル５４は、空芯部５４ｃの短手方向（Ｘ方向）に沿った空芯部５４ｃの中心線５４ｄと検知範囲６の外縁６ｂとの間の距離ｃが最小硬貨１１０ａの直径ｂ未満になるように配置されている。つまり、両端に配置された空芯コイル５４は、最小硬貨１１０ａが検知範囲６内の最も外縁６ｂ側に配置された場合にも、最小硬貨１１０ａが空芯コイル５４の空芯部５４ｃの中心線５４ｄを越えるように配置されている。
【００４０】
また、本実施形態では、隣り合う空芯コイル５４は、空芯部５４ｃの短手方向に沿った空芯部５４ｃの中心線５４ｄ間の距離ｄが最小硬貨１１０ａの直径ｂ未満になるように配置されている。つまり、隣り合う空芯コイル５４は、最小硬貨１１０ａが隣り合う空芯コイル５４の間のＸ方向の略中央位置に配置された場合に、最小硬貨１１０ａが隣り合う空芯コイル５４の両方の空芯部５４ｃの中心線５４ｄを越えるように配置されている。
【００４１】
また、図４に示すように、たとえば、両端に配置された空芯コイル５４は、空芯部５４ｃの短手方向（Ｘ方向）に沿った空芯部５４ｃの中心線５４ｄと検知範囲６の外縁６ｂとの間の距離ｃが以下の式（５）を満たすように配置されている。
ａ／（ｘ＋１）＞ｃ  ・・・（５）
【００４２】
この場合、隣り合う空芯コイル５４は、空芯部５４ｃの短手方向に沿った空芯部５４ｃの中心線５４ｄ間の距離ｄが以下の式（６）を満たすように配置されている。
ａ／（ｘ＋１）＜ｄ  ・・・（６）
【００４３】
また、たとえば、両端に配置された空芯コイル５４は、空芯部５４ｃの短手方向（Ｘ方向）に沿った空芯部５４ｃの中心線５４ｄと検知範囲６の外縁６ｂとの間の距離ｃが以下の式（７）を満たすように配置されている。
ａ／（ｘ＋１）＜ｃ  ・・・（７）
【００４４】
この場合、隣り合う空芯コイル５４は、空芯部５４ｃの短手方向に沿った空芯部５４ｃの中心線５４ｄ間の距離ｄが以下の式（８）を満たすように配置されている。
ａ／（ｘ＋１）＞ｄ  ・・・（８）
【００４５】
また、たとえば、両端に配置された空芯コイル５４は、空芯部５４ｃの短手方向（Ｘ方向）に沿った空芯部５４ｃの中心線５４ｄと検知範囲６の外縁６ｂとの間の距離ｃが以下の式（９）を満たすように配置されている。
ａ／（ｘ＋１）＝ｃ  ・・・（９）
【００４６】
この場合、隣り合う空芯コイル５４は、空芯部５４ｃの短手方向に沿った空芯部５４ｃの中心線５４ｄ間の距離ｄが以下の式（１０）を満たすように配置されている。
ａ／（ｘ＋１）＝ｄ  ・・・（１０）
【００４７】
〈空芯コイルの巻き方向の第１の例〉
図５では、隣り合う空芯コイル５４の間の隙間５４ｅの大きさｆが、空芯部５４ｃの短手方向（Ｘ方向）の幅ｇよりも大きい場合の硬貨検知用アンテナ５を示している。この場合、複数の空芯コイル５４は、隣り合う部分（隣り合う直線部５４ａ）の電流の流れる方向が互いに逆の（巻き方向が互いに同じ）空芯コイル５４が隣り合うように、空芯部５４ｃの短手方向に沿って配置されている。これにより、隣り合う空芯コイル５４の間の隙間５４ｅでは、隣り合う部分（隣り合う直線部５４ａ）のうちの一方において生じる磁界Ｍ１、および、隣り合う部分（隣り合う直線部５４ａ）のうちの他方において生じる磁界Ｍ２の向きが同じ向きになる。つまり、隣り合う空芯コイル５４の間の隙間５４ｅにおいて、互いに打ち消し合わない方向（互いに強め合う方向）に磁界Ｍ１およびＭ２を生じさせることが可能である。なお、図５および図６では、空芯コイル５４を流れる電流、および、空芯コイル５４により発生される磁界（二点鎖線により示す）を矢印により示している。
【００４８】
〈空芯コイルの巻き方向の第２の例〉
図６では、隣り合う空芯コイル５４の間の隙間５４ｅの大きさｆが、空芯部５４ｃの短手方向（Ｘ方向）の幅ｇの１／２よりも小さい場合の硬貨検知用アンテナ５を示している。この場合、複数の空芯コイル５４は、隣り合う部分（隣り合う直線部５４ａ）の電流の流れる方向が互いに同じ（巻き方向が互いに逆の）空芯コイル５４が隣り合うように、空芯部５４ｃの短手方向に沿って配置されている。これにより、隣り合う部分（隣り合う直線部５４ａ）のうちの一方において生じる磁界、および、隣り合う部分（隣り合う直線部５４ａ）のうちの他方において生じる磁界が繋がるように磁界を合成することができるので、隣り合う空芯コイル５４の空芯部５４ｃを繋ぐような磁界Ｍ３を生じさせることが可能である。
【００４９】
なお、隣り合う空芯コイル５４の間の隙間５４ｅの大きさｆが、空芯部５４ｃの短手方向（Ｘ方向）の幅ｇの１／２以上でかつ１倍以下の場合、複数の空芯コイル５４は、隣り合う部分の電流の流れる方向が互いに同じ空芯コイル５４が隣り合うように、空芯部５４ｃの短手方向に沿って配置されていてもよいし、隣り合う部分の電流の流れる方向が互いに逆の空芯コイル５４が隣り合うように、空芯部５４ｃの短手方向に沿って配置されていてもよい。
【００５０】
（本実施形態の効果）
本実施形態では、以下のような効果を得ることができる。
【００５１】
本実施形態では、上記のように、トラック形状の複数の空芯コイル５４を備えることにより、単一のトラック形状の空芯コイル５４のみを備える場合に比べて、広い範囲において硬貨１１０を検知することができる。また、複数の空芯コイル５４を、検知対象の硬貨１１０のうちの最小硬貨１１０ａが検知範囲６内のいずれの位置に位置する場合にも、最小硬貨１１０ａが空芯コイル５４の空芯部５４ｃの中心線５４ｄを越えるように、空芯部５４ｃの短手方向に沿って配置することにより、検知範囲６内において検知対象の硬貨１１０を感度が高い空芯部５４ｃの近傍に必ず位置させることができる。その結果、トラック形状の複数の空芯コイル５４を用いる場合にも、空芯コイル５４に対する硬貨１１０の位置によって感度がばらつくことを抑制することができる。これらの結果、トラック形状の複数の空芯コイル５４を用いる場合に、感度がばらつくことを抑制しつつ、広い範囲において硬貨１１０を検知することができる。また、広い範囲において硬貨１１０を検知するために、複数の空芯コイル５４が設けられた単一の基板５１を設けるだけでよく、空芯コイル５４が設けられた基板５１を複数設ける必要がないので、硬貨検知用アンテナ５の構成が複雑化することを抑制することができる。また、複数の空芯コイル５４を、空芯部５４ｃの短手方向に沿って配置することにより、極力デッドスペースが生じないように複数の空芯コイル５４を配置することができるので、基板５１のサイズを小さくすることができる。その結果、複数の空芯コイル５４を設ける場合にも、硬貨検知用アンテナ５のサイズを小さくすることができる。
【００５２】
また、本実施形態では、上記のように、複数の空芯コイル５４を、上記式（４）を満たす数分だけ設ける。これにより、最小の数の空芯コイル５４により、最小硬貨１１０ａが検知範囲６内のいずれの位置に位置する場合にも、最小硬貨１１０ａが空芯コイル５４の空芯部５４ｃの中心線５４ｄを越えるという条件を満たすことができる。その結果、最小の数の空芯コイル５４により、広い範囲において硬貨１１０を検知することができる。また、複数の空芯コイル５４を設ける場合にも、硬貨検知用アンテナ５のサイズをより小さくすることができる。
【００５３】
また、本実施形態では、上記のように、両端に配置された空芯コイル５４を、短手方向に沿った空芯部５４ｃの中心線５４ｄと検知範囲６の外縁６ｂとの間の距離ｃが最小硬貨１１０ａの直径ｂ未満になるように配置する。また、隣り合う空芯コイル５４を、短手方向に沿った空芯部５４ｃの中心線５４ｄ間の距離ｄが最小硬貨１１０ａの直径ｂ未満になるように配置する。これにより、最小硬貨１１０ａが検知範囲６内のいずれの位置に位置する場合にも、最小硬貨１１０ａが空芯コイル５４の空芯部５４ｃの中心線５４ｄを越えるという条件を満たす位置に、複数の空芯コイル５４を確実に配置することができる。
【００５４】
また、本実施形態では、上記のように、両端に配置された空芯コイル５４を、短手方向に沿った空芯部５４ｃの中心線５４ｄと検知範囲６の外縁６ｂとの間の距離ｃが上記式（５）を満たすように配置する。これにより、空芯部５４ｃの短手方向に沿った空芯部５４ｃの中心線５４ｄと検知範囲６の外縁６ｂとの間の距離ｃを極力小さくすることができる。その結果、硬貨１１０が検知範囲６の外縁６ｂ側に配置された場合、硬貨１１０のうち、この硬貨１１０と同じ側の端に配置された空芯コイル５４の空芯部５４ｃの中心線５４ｄを越える部分の割合を大きくすることができる。これにより、硬貨１１０が検知範囲６の外縁６ｂ側に配置された場合にも、感度を極力大きくすることができる。
【００５５】
また、本実施形態では、上記のように、両端に配置された空芯コイル５４を、短手方向に沿った空芯部５４ｃの中心線５４ｄと検知範囲６の外縁６ｂとの間の距離ｃが上記式（７）を満たすように配置する。これにより、空芯部５４ｃの短手方向に沿った空芯部５４ｃの中心線５４ｄと検知範囲６の外縁６ｂとの間の距離ｃを極力大きくすることができる。その結果、検知範囲６の外縁６ｂと基板５１の外縁６ｂとの間の距離ｃを極力大きくすることができるので、その分、検知範囲６に対して基板５１のサイズを小さくすることができる。
【００５６】
また、本実施形態では、上記のように、隣り合う空芯コイル５４の間の隙間５４ｅの大きさｆが、空芯部５４ｃの短手方向の幅ｇよりも大きい場合（図５参照）、複数の空芯コイル５４を、隣り合う部分の電流の流れる方向が互いに逆の空芯コイル５４が隣り合うように、空芯部５４ｃの短手方向に沿って配置する。ここで、隣り合う空芯コイル５４の間の隙間５４ｅの大きさｆが、空芯部５４ｃの短手方向の幅ｇよりも大きい場合（つまり、空芯コイル５４同士が遠くに配置されている場合）、隣り合う部分の電流の流れる方向が互いに同じ空芯コイル５４が隣り合うと、隣り合う空芯コイル５４の間の隙間５４ｅでは、互いに打ち消す方向に磁界が生じる。互いに打ち消す方向に磁界が生じた場合、感度が低下するという不都合がある。そこで、上記のように、隣り合う空芯コイル５４の間の隙間５４ｅの大きさｆが、空芯部５４ｃの短手方向の幅ｇよりも大きい場合、複数の空芯コイル５４を、隣り合う部分の電流の流れる方向が互いに逆の空芯コイル５４が隣り合うように、空芯部５４ｃの短手方向に沿って配置することにより、隣り合う空芯コイル５４の間の隙間５４ｅでは、互いに打ち消し合わない方向（互いに強め合う方向）に磁界を生じさせることができる。その結果、隣り合う空芯コイル５４の間の隙間５４ｅにおいても、硬貨１１０を検知するのに十分な感度を確保することができる。
【００５７】
また、本実施形態では、上記のように、隣り合う空芯コイル５４の間の隙間５４ｅの大きさｆが、空芯部５４ｃの短手方向の幅ｇの１／２よりも小さい場合（図６参照）、複数の空芯コイル５４は、隣り合う部分の電流の流れる方向が互いに同じ空芯コイル５４が隣り合うように、空芯部５４ｃの短手方向に沿って配置されている。ここで、空芯コイル５４の間の隙間５４ｅの大きさｆが、空芯部５４ｃの短手方向の幅ｇの１／２よりも小さい場合（つまり、空芯コイル５４同士が近くに配置されている場合）、隣り合う部分の電流の流れる方向が互いに逆の空芯コイル５４が隣り合うと、隣り合う空芯コイル５４の間の隙間５４ｅでは、互いに打ち消す方向に磁界が生じる。互いに打ち消す方向に磁界が生じた場合、感度が低下するという不都合がある。そこで、上記のように、隣り合う空芯コイル５４の間の隙間５４ｅの大きさｆが、空芯部５４ｃの短手方向の幅ｇよりも小さい場合、複数の空芯コイル５４を、隣り合う部分の電流の流れる方向が互いに同じ空芯コイル５４が隣り合うように、空芯部５４ｃの短手方向に沿って配置することにより、隣り合う空芯コイル５４の空芯部５４ｃを繋ぐように磁界を生じさせることができる。その結果、隣り合う空芯コイル５４の間の隙間５４ｅにおいても、硬貨１１０を検知するのに十分な感度を確保することができる。
【００５８】
また、本実施形態では、上記のように、複数の空芯コイル５４を、直列に接続する。これにより、複数の空芯コイル５４が並列に接続されている場合に比べて、簡素な構成により、空芯コイル５４同士を接続することができる。
【００５９】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００６０】
たとえば、上記実施形態では、本発明を、釣銭機としての硬貨処理装置に適用した例を示したが、本発明はこれに限られない。本発明は、硬貨滞留部と硬貨検知用アンテナとを備える硬貨処理装置であれば、釣銭機以外の硬貨処理装置に適用されてもよい。
【００６１】
また、上記実施形態では、空芯コイルがリジッド回路基板に設けられている例を示したが、本発明はこれに限られない。たとえば、空芯コイルがフレキシブル回路基板に設けられていてもよい。図７に示す変形例では、硬貨検知用アンテナ１０５は、フレキシブル回路基板としての基板１５１と、コネクタ５２と、コンデンサ５３と、複数（２つ）の空芯コイル５４とを含む。コネクタ５２、コンデンサ５３および複数の空芯コイル５４は、フレキシブル回路基板としての基板１５１に形成されている。フレキシブル回路基板としての基板１５１は、柔軟性を有し、屈曲可能に構成されている。変形例では、フレキシブル回路基板としての基板１５１を用いることにより、硬貨検知用アンテナ１０５を硬貨滞留部の形状に応じて変形させた状態で、硬貨滞留部に対応する位置に配置することができる。その結果、硬貨滞留部の硬貨を効果的に検知することができる。
【００６２】
また、上記実施形態では、複数の空芯コイルが上記式（４）を満たす数分だけ設けられている例を示したが、本発明はこれに限られない。たとえば、複数の空芯コイルが上記式（４）を満たす数よりも多い数分だけ設けられていてもよい。
【００６３】
また、上記実施形態では、隣り合う空芯コイルの間の隙間の大きさが、空芯部の短手方向の幅よりも大きい場合、複数の空芯コイルが、隣り合う部分の電流の流れる方向が互いに逆の空芯コイルが隣り合うように、空芯部の短手方向に沿って配置されている例を示したが、本発明はこれに限られない。本発明では、硬貨を検知可能であれば、隣り合う空芯コイルの間の隙間の大きさが、空芯部の短手方向の幅よりも大きい場合であっても、複数の空芯コイルが、隣り合う部分の電流の流れる方向が互いに逆の空芯コイルが隣り合うように、空芯部の短手方向に沿って配置されていなくてもよい。
【００６４】
また、上記実施形態では、隣り合う空芯コイルの間の隙間の大きさが、空芯部の短手方向の幅の１／２よりも小さい場合、複数の空芯コイルが、隣り合う部分の電流の流れる方向が互いに同じ空芯コイルが隣り合うように、空芯部の短手方向に沿って配置されている例を示したが、本発明はこれに限られない。本発明では、硬貨を検知可能であれば、隣り合う空芯コイルの間の隙間の大きさが、空芯部の短手方向の幅の１／２よりも小さい場合であっても、複数の空芯コイルが、隣り合う部分の電流の流れる方向が互いに同じ空芯コイルが隣り合うように、空芯部の短手方向に沿って配置されていなくてもよい。
【００６５】
また、上記実施形態では、複数の空芯コイルが、直列に接続されている例を示したが、本発明はこれに限られない。本発明では、複数の空芯コイルが、並列に接続されていてもよい。
【００６６】
また、上記実施形態では、硬貨検知用アンテナが、２つの空芯コイルを含む例を示したが、本発明はこれに限られない。本発明では、硬貨検知用アンテナが、３つ以上の複数の空芯コイルを含んでいてもよい。
【符号の説明】
【００６７】
５、１０５  硬貨検知用アンテナ
６  検知範囲
２１  トレイ部（硬貨滞留部）
５１、１５１  基板
５４  空芯コイル
５４ｃ  空芯部
５４ｄ  中心線
１００  硬貨処理装置
１１０  硬貨
１１０ａ  最小硬貨
ａ  空芯部の短手方向に沿った検知範囲の長さ
ｂ  最小硬貨の直径
ｃ  空芯部の短手方向に沿った空芯部の中心線と検知範囲の外縁との間の距離
ｄ  空芯部の短手方向に沿った空芯部の中心線間の距離
ｆ  隣り合う空芯コイルの間の隙間の大きさ
ｇ  空芯部の短手方向の幅
【図１】
2019096204.tif 000003
【図２】
2019096204.tif 000004
【図３】
2019096204.tif 000005
【図４】
2019096204.tif 000006
【図５】
2019096204.tif 000007
【図６】
2019096204.tif 000008
【図７】
2019096204.tif 000009